(57)【要約】【課題】簡易かつよりおいしく茶を抽出する。【解決手段】使い捨て素材で形成された第１の容器２０に適量の茶葉４０および湯５０をいれ、湯５０全体に茶葉４０を拡散させ、茶葉４０がエキスを抽出した後、第１の容器２０の内部に使い捨て素材で形成された第２の容器３０を挿入し、第２の容器３０に茶葉４０のエキスが抽出された湯５０を流入させる。【選択図】図３
2019055103.tif 000002
【特許請求の範囲】
【請求項１】
使い捨て可能な素材で形成され、茶葉が入れられる第１の容器と、
使い捨て可能な素材で形成され、前記第１の容器の内側に重ね合わすことができ、側面に開口が設けられた第２の容器と、
を備えることを特徴とする簡易茶器。
【請求項２】
使い捨て可能な素材が紙または樹脂である請求項１に記載の簡易茶器。
【請求項３】
可動部が生じるような切り込みにより前記開口が形成され、前記可動部が前記第２の容器の内側に折り込まれる構造を有する請求項１または２に記載の簡易茶器。
【請求項４】
前記第２の容器の底部の裏に吸水部材が設けられている請求項１乃至３のいずれか１項に記載の簡易茶器。
【請求項５】
使い捨て可能な素材で形成された第１の容器に適量の茶葉および湯を入れ、湯全体に茶葉を拡散させ、湯に茶葉のエキスを抽出する工程と、
側面に開口が設けられた第２の容器を前記第１の容器の内側に重ね合わせ、茶葉のエキスが抽出されたん湯を第２の容器の内部に流入させるとともに、第１の容器の底部と第２の容器の底部との間に茶葉を閉じ込める工程と、
を備えることを特徴とする茶の煎れ方。
【請求項６】
使い捨て可能な素材が紙または樹脂である請求項５に記載の茶の煎れ方。
【請求項７】
可動部が生じるような切り込みにより茶の煎れ方が形成され、前記可動部が前記第２の容器の内側に折り込まれる構造を有する請求項５または６に記載の茶の煎れ方。
【請求項８】
前記第２の容器の底部の裏に吸水部材が設けられている請求項５乃至７のいずれか１項に記載の茶の煎れ方。
【発明の詳細な説明】
【技術分野】
【０００１】
本発明は、簡易に茶を抽出することができる茶器に関する。
【背景技術】
【０００２】
従来、簡易に茶を煎れる方法としては、いわゆるティーバッグを用いる方法や、茶こしを湯のみに設置する方法などがある（特許文献１参照）。
【先行技術文献】
【特許文献】
【０００３】
【特許文献１】特開２００８−２４６１８７
【発明の概要】
【発明が解決しようとする課題】
【０００４】
ティーバッグを用いる場合には、茶葉が袋に閉じ込められているため、湯を入れたときに茶葉に湯が十分に触れず、味や香りが物足りないものとなる。また、茶葉を袋詰めする際に機械が使用されるため、１杯当たりのコストが割高となる。一方、先行文献１のような茶こしを用いると、茶葉に湯が接し続けるため、湯に茶葉の余分なエキスが流れ出てしまい、二煎目をおいしく煎れることが難しくなる。
【０００５】
このように、従来の簡易に茶を煎れる方法は、簡易さのみに重点が置かれており、茶をよりおいしく煎れることについて目が向けられていなかった。
【０００６】
本発明はこうした課題に鑑みてなされたものであり、その目的は、手軽に茶を煎れることができる茶器において、茶をよりおいしく煎れることができる技術の提供にある。
【課題を解決するための手段】
【０００７】
本発明のある態様は、簡易茶器である。当該簡易茶器は、使い捨て可能な素材で形成され、茶葉が入れられる第１の容器と、使い捨て可能な素材で形成され、前記第１の容器の内側に重ね合わすことができ、側面に開口が設けられた第２の容器とを備える。
【０００８】
上記態様の簡易茶器において、使い捨て可能な素材が紙または樹脂であってもよい。前可動部が生じるような切り込みにより前記開口が形成され、前記可動部が前記第２の容器の内側に折り込まれる構造を有してもよい。また、前記第２の容器の底部の裏に吸水部材が設けられていてもよい。
【０００９】
本発明の他の態様は、茶の煎れ方である。使い捨て可能な素材で形成された第１の容器に適量の茶葉および湯を入れ、湯全体に茶葉を拡散させ、湯に茶葉のエキスを抽出する工程と、側面に開口が設けられた第２の容器を前記第１の容器の内側に重ね合わせ、茶葉のエキスが抽出されたん湯を第２の容器の内部に流入させるとともに、第１の容器の底部と第２の容器の底部との間に茶葉を閉じ込める工程と、を備える。
【００１０】
上記態様の茶の煎れ方において、使い捨て可能な素材が紙または樹脂であってもよい。前記第２の容器の側面に設けられ、可動部が生じるような切り込みにより茶の煎れ方が形成され、前記可動部が前記第２の容器の内側に折り込まれる構造を有してもよい。前記第２の容器の底部の裏に吸水部材が設けられていてもよい。
【００１１】
なお、上述した各要素を適宜組み合わせたものも、本件特許出願によって特許による保護を求める発明の範囲に含まれうる。
【発明の効果】
【００１２】
本発明によれば、簡易にかつよりおいしく茶を抽出することができる。
【図面の簡単な説明】
【００１３】
【図１】図１（ａ）は、実施形態１に係る簡易茶器の部材として用いられる第１の容器の側面図である。図１（ｂ）は、第１の容器を水平面と直交する面で切断したときの断面図である。図１（ｃ）は第１の容器の内部を示す斜視図である。
【図２】図２（ａ）は、第２の容器の側面図である。図２（ｂ）は、第２の容器を水平面と直交する面で切断したときの断面図である。図２（ｃ）は、第２の容器の底部を正面視したときの図である。
【図３】図３（ａ）〜図３（ｄ）は、実施形態１に係る茶の煎れ方を示す工程概略図である。
【図４】図４（ａ）〜図４（ｃ）は、実施形態１に係る茶の煎れ方を示す工程概略図である。
【図５】本実施形態の第２の容器の断面図である。
【図６】第１の容器の内側に第２の容器を挿入した状態を示す図である。
【発明を実施するための形態】
【００１４】
以下、本発明の実施の形態を図面を参照して説明する。なお、すべての図面において、同様な構成要素には同様の符号を付し、適宜説明を省略する。
【００１５】
（実施形態１）
本実施形態の簡易茶器は、第１の容器および第２の容器を含む。第１の容器および第２の容器はともに使い捨て可能な素材で形成される。当該素材として、紙やプラスチックなどの樹脂が挙げられる。当該素材が紙の場合、第１の容器および第２の容器はいわゆる紙コップであり、両面にラミネート加工が施されていることが好ましい。
【００１６】
図１（ａ）は、第１の容器２０の側面図である。図１（ｂ）は、第１の容器２０を水平面と直交する面で切断したときの断面図である。図１（ｃ）は第１の容器２０の内部を示す斜視図である。
【００１７】
図１（ｂ）に示すように、第１の容器２０の底部２２を縁取る脚部２４により第１の容器２０の底部２２と台面との間に隙間が形成される。
【００１８】
図１（ｃ）に示すように、第１の容器２０の内壁に適量の茶葉を入れる目安となるライン２６が描かれている。また、第１の容器２０の内壁には、適量の湯を入れる目安となるライン２８が描かれている。これにより、茶葉に対して適切な量の湯で茶を抽出することができる。茶葉および湯の適量は、使用する茶葉の種類にもよるが、たとえば、湯２００ｍｌに対して茶葉４ｇである。なお、茶をおいしく煎れるためには、湯２００の温度を使用する茶葉に応じた適温とすることが重要である。このため、第１の容器２０の内壁に紙状の温度計を貼り付けてもよい。これによれば、茶葉の扱いに慣れていないユーザであっても、適量の茶葉および湯、適温の湯にておいしく茶を煎れることができる。
【００１９】
図２（ａ）は、第２の容器３０の側面図である。図２（ｂ）は、第２の容器３０を水平面と直交する面で切断したときの断面図である。図２（ｃ）は、第２の容器３０の底部３２を正面視したときの図である。第２の容器３０の全体形状は、第１の容器２０の全体形状と同様である。
【００２０】
図２（ａ）〜図２（ｃ）に示すように、第２の容器３０の側面には複数の開口８０が形成されている。本実施形態では、第２の容器３０を台に置いた場合の鉛直方向に開口８０が所定間隔で３箇所形成されており、このような列の開口８０が第２の容器３０の底部を正面視したときに、約９０度ごとの４箇所に設けられている。
【００２１】
具体的には、開口８０は、略平行な２本の切れ込み８２、８４と、切れ込み８２、８４の中点間を結ぶ切れ込み８６により形成され、切れ込み８２、８４、８６により動かすことができる可動部としての折り込み部８７、８８が第２の容器３０の内側に折り込まれている。なお、開口８０は第２の容器３０の側面のみに設けられ、底部３２には開口が形成されない。第２の容器３０の素材として紙や樹脂を用いることにより、カッターなどの刃物で開口８０を容易に形成することができる。開口８０の数や位置は特に限定されないが、第２の容器３０の高さの半分より下の側面に設けることが好ましい。
【００２２】
また、図２（ｂ）に示すように、第２の容器３０の底部３２を縁取る脚部３４により第２の容器３０の底部３２と台面との間に隙間が形成される。後述するように、茶を煎れる際に、この隙間が茶葉を閉じ込めるための空間となる。
【００２３】
図３（ａ）〜図３（ｄ）および図４（ａ）〜図４（ｃ）は、実施形態１に係る茶の煎れ方を示す工程概略図である。まず、図３（ａ）に示すように、上述した第１の容器２０および第２の容器３０からなる簡易茶器を用意する。
【００２４】
次に、図３（ｂ）に示すように、第１の容器２０に適量の茶葉４０を入れる。
【００２５】
次に、図３（ｃ）に示すように、第１の容器２０に適量の湯５０を入れる。第１の容器２０に湯５０が入れられ、しばらく経つと、図３（ｄ）に示すように、湯５０全体に茶葉４０が拡散する。
【００２６】
茶葉４０に含まれるエキスを湯５０に抽出するために適した時間載置した後、図４（ａ）に示すように、第１の容器２０の内側に第２の容器３０を挿入し、第１の容器２０と第２の容器３０とを重ね合わせる。第２の容器３０の挿入位置は、図４（ｂ）に示すように、第２の容器３０が第１の容器２０内で動かなくなる位置である。なお、第２の容器３０の全体形状は、第１の容器２０の全体形状と同様であるため、第１の容器２０の壁面と第２の容器３０の壁面との間に余分な隙間が形成されない。第１の容器２０に入れられた茶葉４０は、第１の容器２０の底部２２と第２の容器３０の底部３２との間の隙間に閉じ込められる。つまり、第１の容器２０に入れられた茶葉４０は余分な湯５０と接しない状態となる。
【００２７】
第１の容器２０の内側に第２の容器３０が挿入されると、第２の容器３０に設けられた各開口を経由して第１の容器２０から第２の容器３０内に湯５０が流入する。開口は第２の容器の側面のみに設けられており、第２の容器３０の底部３２は茶葉４０を閉じ込める蓋の役割を果たしているため、第２の容器３０内に茶葉４０が混入せず、主に湯５０が流入する。このとき、開口８０を第２の容器３０の高さの半分より下の側面に設けることにより、効率的に湯５０を第２の容器３０内に流入させることができる。この観点から、開口８０の位置は、容器３０の側面のできるだけ低い位置（ただし、脚部３２より上方）にあることが好ましい。また、鉛直方向に開口８０が複数設けられる場合に、下部にある開口８０ほど、開口面積が小さくなるようにしてもよい。これによれば、茶場４０が第２の容器３０に混入することを抑制しつつ、湯５０を第２の容器３０に効率的に流入させることができる。
【００２８】
また、何らかの理由で、第２の容器３０に一旦流入した湯５０が逆流しようとしても、図２（ｃ）に示したような折こみ部８７、８８が逆止弁の役割を果たすため、湯５０の逆流が抑制される。
【００２９】
第２の容器３０に流入したお茶エキスを含む湯５０は、図２（ｄ）に示すように、湯飲み７０に移される。湯飲み７０を用いずに、第２の容器３０を第１の容器２０に挿入した状態で、湯５０を飲んでもよい。
【００３０】
二煎目を煎れる場合には、第１の容器２０に挿入された第２の容器３０を取り外した後、図３（ｃ）以下の工程を繰り返す。
【００３１】
本実施形態の簡易茶器１０によれば、少なくとも以下の効果が奏される。
【００３２】
第１の容器２０および第２の容器３０を使い捨て素材で形成することにより、場所を選ばず茶を簡易に煎れることができ、かつ飲み終わった後に第１の容器２０および第２の容器３０を捨てるだけでよいため、後片付けの手間がかからない。特に、第１の容器２０および第２の容器３０を紙コップで形成することにより、コストを大幅に抑えつつ、茶を煎れることができる。
【００３３】
第１の容器２０に湯を注いだときに、湯全体に茶葉が広がることにより、茶葉一つ一つが湯に適切に接することができるため、茶本来の味わいを得ることができる。
【００３４】
第１の容器２０および第２の容器３０の容量を大型化し、第１の容器２０に入れられる茶葉の量を増大させることにより、必要に応じた量の茶を一度に煎れることができる。
【００３５】
第２の容器３０を第１の容器２０の内側に重ね合わせ、第２の容器３０の側面に設けられた開口８０から、茶葉から抽出されたエキスを含む湯を第２の容器３０の内部に移動させるとともに、茶葉を第１の容器２０の底部と第２の容器の底部との間に閉じ込めることにより、抽出後の茶葉４０が余分な湯５０と触れることを抑制することができる。このため、一煎目で使用された茶葉４０から余計な茶エキスが抽出されることが抑制されるため、二煎目の茶をよりおいしく煎れることができる。
【００３６】
第２の容器３０の内側に折り込まれた折り込み部８７、８８が逆止弁のような働きをすることにより、第２の容器３０に流入した湯が逆流することを抑制することができる。
【００３７】
（実施形態２）
図５は、本実施形態の第２の容器３０の断面図である。本実施形態では、底部３２の裏に吸水部材９０が設置されている。吸水部材９０は、たとえば、ウレタンシートである。吸水部材９０は、接着剤などを用いずに、第２の容器３０の裏面形状に合わせて成形し、第２の容器３０の裏面に填め込むとよい。
【００３８】
本実施形態の第２の容器３０を用いると、図６に示すように、第１の容器２０の内側に第２の容器３０を挿入して茶を煎れ終わった状態のとき、余分な湯５０などの水分が吸水部材９０に吸い取られる。これにより、茶葉４０の劣化が抑制され、二煎目も風味を損なわず、おいしく煎れることができる。また、第２の容器３０を取り外したとき、第１の容器２０内に水分がほとんど残らないため、第１の容器２０を傾けても水分をこぼさずに済む。
【００３９】
本発明は、上述の各実施形態に限定されるものではなく、当業者の知識に基づいて各種の設計変更等の変形を加えることも可能であり、そのような変形が加えられた実施形態も本発明の範囲に含まれうるものである。
【００４０】
たとえば、上述の各実施形態では、Ｈ字状の切れ込みにより第２の容器３０の側面に開口を形成しているが、開口の形成方法はこれに限られない。たとえば、三角形の２辺に切れ込みをいれ、可動部となる三角形を第２の容器３０の内側に折り込んでもよい。
【符号の説明】
【００４１】
２０  第１の容器、２２  底部、２４  脚部、３０  第２の容器、３２  底部、３４  脚部、４０  茶葉、５０  湯、７０  湯飲み、８０  開口
【図１】
2019055103.tif 000003
【図２】
2019055103.tif 000004
【図３】
2019055103.tif 000005
【図４】
2019055103.tif 000006
【図５】
2019055103.tif 000007
【図６】
2019055103.tif 000008
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
使い捨て可能な素材で形成され、茶葉が入れられる第１の容器と、
使い捨て可能な素材で形成され、前記第１の容器の内側に重ね合わすことができ、側面にのみ開口が設けられた第２の容器と、
を備えることを特徴とする簡易茶器。
【請求項２】
使い捨て可能な素材が紙または樹脂である請求項１に記載の簡易茶器。
【請求項３】
可動部が生じるような切り込みにより前記開口が形成され、前記可動部が前記第２の容器の内側に折り込まれる構造を有する請求項１または２に記載の簡易茶器。
【請求項４】
前記第２の容器の底部の裏に吸水部材が設けられている請求項１乃至３のいずれか１項に記載の簡易茶器。
【請求項５】
使い捨て可能な素材で形成された第１の容器に適量の茶葉および湯を入れ、湯全体に茶葉を拡散させ、湯に茶葉のエキスを抽出する工程と、
側面にのみ開口が設けられた第２の容器を前記第１の容器の内側に重ね合わせ、茶葉のエキスが抽出された湯を第２の容器の内部に流入させるとともに、第１の容器の底部と第２の容器の底部との間に茶葉を閉じ込める工程と、
を備えることを特徴とする茶の煎れ方。
【請求項６】
使い捨て可能な素材が紙または樹脂である請求項５に記載の茶の煎れ方。
【請求項７】
可動部が生じるような切り込みにより茶の煎れ方が形成され、前記可動部が前記第２の容器の内側に折り込まれる構造を有する請求項５または６に記載の茶の煎れ方。
【請求項８】
前記第２の容器の底部の裏に吸水部材が設けられている請求項５乃至７のいずれか１項に記載の茶の煎れ方。
【手続補正２】
【補正対象書類名】明細書
【補正対象項目名】０００９
【補正方法】変更
【補正の内容】
【０００９】
本発明の他の態様は、茶の煎れ方である。使い捨て可能な素材で形成された第１の容器に適量の茶葉および湯を入れ、湯全体に茶葉を拡散させ、湯に茶葉のエキスを抽出する工程と、側面に開口が設けられた第２の容器を前記第１の容器の内側に重ね合わせ、茶葉のエキスが抽出された湯を第２の容器の内部に流入させるとともに、第１の容器の底部と第２の容器の底部との間に茶葉を閉じ込める工程と、を備える。